(57)【要約】【課題】管理者の負担を軽減しつつ、新規ユーザ登録を行うことができる画像形成装置を提供する。【解決手段】入力された印刷データ７０の印刷を、ユーザ認証が成功してから行う画像形成装置１であって、第１の識別情報（CardID）を入力する入力部１１４と、前記入力部１１４からの入力に基づいて制御を行う制御部１１とを有し、前記制御部１１は、ユーザ認証のときに用いる第１の認証情報が未登録であったとき、前記入力部１１４で取得した第１の識別情報（CardID）と、前記印刷データ７０に基づいて取得した第２の識別情報（UserID）とを、ユーザ認証のときに用いる認証情報として記憶することを特徴とする。【選択図】図５
2014048739.tif 000002
【特許請求の範囲】
【請求項１】
入力された印刷データの印刷を、ユーザ認証が成功してから行う画像形成装置であって、
第１の識別情報を入力する入力部と、
前記入力部からの入力に基づいて制御を行う制御部と
を有し、
前記制御部は、
ユーザ認証のときに用いる認証情報が未登録であったとき、前記入力部で取得した第１の識別情報と、前記印刷データに基づいて取得した第２の識別情報とを、ユーザ認証のときに用いる認証情報として記憶することを特徴とする画像形成装置。
【請求項２】
前記認証情報として記憶させた前記第１の識別情報を第１の認証情報とし、前記第２の識別情報を第２の認証情報として、当該第１の認証情報と当該第２の認証情報とを関連付けて記憶した認証情報テーブルを備え、
前記入力部で新たに取得した第１の識別情報と、前記認証情報テーブルに記憶された前記第１の認証情報とが一致し、当該第１の認証情報と関連付けられて記憶された第２の認証情報と、前記印刷データに基づいて新たに取得した第２の識別情報とが一致したとき、前記印刷データの印刷を行うこと
を特徴とする請求項１に記載された画像形成装置。
【請求項３】
前記入力部で取得した第１の識別情報が前記第１の認証情報として前記認証情報テーブルに記憶されていないときに、
前記印刷データに基づいて取得した中から、前記認証情報テーブルに記憶されていない前記第２の識別情報のリストを生成する未登録リスト作成部と、
前記リストから何れかを選択するように誘導する選択画面を表示する表示部と、
前記第１の識別情報と、操作部を介して選択入力された前記第２の識別情報とを関連付けて前記認証情報テーブルに記憶させる認証情報登録部と
を備えることを特徴とする請求項２に記載された画像形成装置。
【請求項４】
前記第１の識別情報は、電子データ記録媒体に含まれる記録媒体識別情報であることを特徴とする請求項２または請求項３に記載された画像形成装置。
【請求項５】
前記第１の識別情報は、身体的特徴情報であることを特徴とする請求項２または請求項３に記載された画像形成装置。
【請求項６】
前記第１の識別情報は、利用者本人であることが識別できる情報であることを特徴とする請求項２または請求項３に記載された画像形成装置。
【請求項７】
前記第２の識別情報は、前記印刷データに含まれるユーザ識別情報であることを特徴とする請求項２または請求項３に記載された画像形成装置。
【請求項８】
第１の認証情報と第２の認証情報とを関連付けて記憶される認証情報テーブルと、電子データ記録媒体に含まれる第１の識別情報を読み取る電子データ取得部と、印刷データに含まれる第２の識別情報を抽出する印刷データ処理部とを備え、
前記第１の識別情報と、前記認証情報テーブルに記憶された前記第１の認証情報とが一致し、当該第１の認証情報と関連付けられて記憶された前記第２の認証情報と、前記第２の識別情報とが一致したとき、前記印刷データに基づき、媒体に印刷を行う画像形成装置であって、
前記第１の識別情報が前記認証情報テーブルに記憶されていないときに、
前記認証情報テーブルに記憶されていない前記第２の識別情報のリストを生成する未登録リスト作成部と、
前記リストから何れかを選択するように誘導する選択画面を表示する表示部と、
前記リストから何れか一つが選択入力される入力部と、
選択された前記第２の識別情報と、前記第１の識別情報とを関連付けて前記認証情報テーブルに記憶させるカード情報制御部と
を備えることを特徴とする画像形成装置。
【請求項９】
印刷データを送信する印刷データ送信装置と、前記印刷データ送信装置と通信可能に接続し、前記印刷データの印刷を、ユーザ認証が成功してから行う画像形成装置とを備える画像形成システムであって、
第１の識別情報が入力される入力部と、
前記入力部からの入力に基づいて制御を行う制御部と
を有し、
前記制御部は、
ユーザ認証のときに用いる認証情報が未登録であったとき、前記入力部で取得した前記第１の識別情報と、前記印刷データに基づいて取得した第２の識別情報とを、ユーザ認証のときに用いる認証情報として記憶する
ことを特徴とする画像形成システム。
【発明の詳細な説明】
【技術分野】
【０００１】
本発明は、画像形成装置および画像形成システムに関し、特に、表示部と入力部とを備え、入力部に入力されたユーザ認証が成功したときに、媒体の印刷を開始する画像形成装置、及び画像形成システムに関する。
【背景技術】
【０００２】
従来の画像形成装置（電子写真記録方式のプリンタ、ファクシミリ装置、複写機、ＭＦＰ（Multifunction Printer：複合機）など）は、ユーザによりクライアントＰＣ（Personal Computer）から印刷データが送信され、印刷データに基づき画像を媒体上に形成（印刷）して、媒体を排紙トレイに排出するように構成されていた。これにより、ユーザは、画像形成装置から排出された媒体（印刷物）を回収することができた。
このような画像形成装置において、ユーザは印刷データを画像形成装置に送信したことを忘れるときがあった。そして、ユーザが長時間印刷物を回収しなかったために、印刷物は不要として扱われ、他ユーザによって廃棄されることがあった。
また、印刷物を排出してから所定時間が経過したときに、自動的に印刷物を廃棄する画像形成装置が開示されている（特許文献１）。
このように、取り忘れにより破棄された印刷物（媒体）は、不要に印刷してしまった印刷物と同様に破棄されるため、経費の無駄となっていた。
【０００３】
この不要な印刷物を排除するために、ＩＣ（Integrated Circuit）カードなどによるユーザ認証を行う画像形成装置を用いることあった。この画像形成装置は、クライアントＰＣから印刷データを送信しただけでは印刷を行わず、ＩＣカードをカードリーダにかざす等で入力されたデータに対するユーザ認証が成功したときに印刷を行うように構成されている。これにより、無駄に印刷が行われることを防止することができた。
【先行技術文献】
【特許文献】
【０００４】
【特許文献１】特開２００４−２２７２１６号公報
【発明の概要】
【発明が解決しようとする課題】
【０００５】
しかしながら、この画像形成装置は、導入時に、画像形成装置に予めユーザ登録をしておく必要がある。このユーザ登録作業は一般的に権限のある管理者が行っていた。そのため、画像形成装置を利用して印刷するユーザが多いほど、画像形成装置の導入時に、管理者によるユーザ登録作業が増え、管理者の作業負担が大きいという問題点があった。
【０００６】
本発明は、以上のような問題を解決するためになされたものであり、管理者の負担を軽減しつつ、新規ユーザ登録を行うことができる画像形成装置、及び画像形成システムを提供することを課題とする。
【課題を解決するための手段】
【０００７】
前記課題を解決するために、画像形成装置は、入力された印刷データの印刷を、ユーザ認証が成功してから行う画像形成装置であって、第１の識別情報を入力する入力部と、前記入力部からの入力に基づいて制御を行う制御部とを有し、前記制御部は、ユーザ認証のときに用いる第１の認証情報が未登録であったとき、前記入力部で取得した第１の識別情報と、前記印刷データに基づいて取得した第２の識別情報とを、ユーザ認証のときに用いる認証情報として記憶することを特徴とする。
【発明の効果】
【０００８】
本発明によれば、印刷を要求した利用者が入力部を自ら操作して自身のユーザ登録を行うことができるため、管理者にユーザ登録を依頼する必要がない。これにより、管理者の作業負担を軽減することができる。
【図面の簡単な説明】
【０００９】
【図１】本発明に係る画像形成システムの全体構成図である。
【図２】第１の実施形態に係る印刷データの構造を示す図である。
【図３】第１の実施形態に係るＰＣの全体構成図である。
【図４】第１の実施形態に係るＰＣの表示部に表示されるログイン画面である。
【図５】第１の実施形態に係るプリンタの全体構成図である。
【図６】第１の実施形態に係るプリンタの待機ジョブ管理テーブルの一例を示す図である。
【図７】第１の実施形態に係るプリンタのカード情報テーブルの一例を示す図である。
【図８】第１の実施形態に係るプリンタの未登録ユーザリストの一例を示す図である。
【図９】第１の実施形態に係るプリンタの操作パネルを示す図である。
【図１０】外部装置を備える本発明に係る画像形成システムの全体構成図である。
【図１１】第１の実施形態に係るＰＣの印刷データ送信処理のフローチャートである。
【図１２】第１の実施形態に係るプリンタの認証印刷処理のフローチャート（１）である。
【図１３】第１の実施形態に係るプリンタの認証印刷処理のフローチャート（２）である。
【図１４】第１の実施形態に係るプリンタの認証印刷処理のフローチャート（３）である。
【図１５】第１の実施形態に係るプリンタの表示部に表示されるＩＣカードが登録されていないことを示す画面である。
【図１６】第１の実施形態に係るプリンタの表示部に表示される未登録ユーザリスト画面である。
【図１７】第１の実施形態に係るプリンタの表示部に表示される登録確認メッセージ画面である。
【図１８】新規ユーザ登録後の第１の実施形態に係るプリンタのカード情報テーブルの一例を示す図である。
【図１９】第１の実施形態に係るプリンタの未登録ユーザリスト作成処理のフローチャートである。
【図２０】第２の実施形態に係るＰＣの全体構成図である。
【図２１】第２の実施形態に係る印刷データの構造を示す図である。
【図２２】第２の実施形態に係るプリンタの全体構成図である。
【図２３】第２の実施形態に係るプリンタの待機ジョブ管理テーブルの一例を示す図である。
【図２４】第２の実施形態に係るプリンタの未登録ユーザリストの一例を示す図である。
【図２５】第２の実施形態に係るプリンタの認証印刷処理のフローチャート（２）である。
【図２６】第２の実施形態に係るプリンタの表示部に表示されるパスワード入力画面である。
【図２７】第２の実施形態に係るプリンタの表示部に表示される登録失敗メッセージ画面である。
【図２８】第２の実施形態に係るプリンタの未登録ユーザリスト作成処理のフローチャートである。
【発明を実施するための形態】
【００１０】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１１】
≪画像形成システム１０≫
図１に示すように、画像形成システム１０は、画像形成装置であるプリンタ１と、ユーザ６（６ａ，６ｂ，６ｃ）に操作される複数台のＰＣ３（ＰＣ３ａ，ＰＣ３ｂ，ＰＣ３ｃ）とを備える。これらの各装置は、有線または無線によるネットワーク２を介して、通信可能に接続されている。
プリンタ１およびＰＣ３の詳細な説明は後記する。
【００１２】
ここで、ユーザ６のうち、ユーザ６ａは、プリンタ１の利用者登録がまだ済んでいない未登録ユーザである。一方、ユーザ６ｂおよびユーザ６ｃは、プリンタ１の利用者登録が済んでいる。
ここでは、本実施形態において、未登録ユーザであるユーザ６ａからの印刷データをプリンタ１が印刷するまでの処理について説明する。
【００１３】
また、各ユーザ６には、ユーザ６を特定する、第２の識別情報としてのユーザ識別情報（UserID）が割り当てられている。また、各ユーザ６はＩＣカード７を所有する。このＩＣカード７には、ＩＣカード７を特定する、第１の識別情報としてのカード識別情報（CardID）が記録されている。
本実施形態において、ユーザ６ａにはユーザ識別情報（UserID）「Ａ１１０３５」が割り当てられており、このユーザ６ａが所有するＩＣカード７ａにはカード識別情報（CardID）「０１０８」が記録されている。
同様に、ユーザ６ｂは、ユーザ識別情報（UserID）「Ａ１１０１１」、カード識別情報（CardID）「０１０９」である。ユーザ６ｃは、ユーザ識別情報（UserID）「Ａ１１０２３」、カード識別情報（CardID）「０１０１」である。
【００１４】
ネットワーク２は、例えば、有線／無線ＬＡＮ（Local Area Network）やＷＡＮ（Wide Area Network）などを介して、インターネットプロトコル（Internet Protocol）技術を利用して相互接続されるコンピュータネットワークである。また、ＬＡＮ以外にも、ZigBee（登録商標）やBluetooth（登録商標）などであってもよい。
【００１５】
本実施形態において、ＩＣカード７として非接触型ＩＣカードを用いた場合について説明するが、カードは、接触型ＩＣカード、磁気ストライプカード、バーコード（２次元バーコード等も含む）が印字されたカードでもよい。また、カード識別情報（CardID）ではなく、印刷物の取得が許可された人物本人（例えば、ユーザ６本人）であることが証明（識別）できる情報であればよいため、キーボードなどの入力機器を介して入力されるパスワード等の情報であってもよいし、ユーザ６の身体的特徴（指紋や虹彩等）から得られる情報であってもよい。すなわち、ユーザ６本人であることを証明するデータが後記するカード情報制御部１０６に入力されればよい。
【００１６】
［印刷データ７０の構成］
図２は、ＰＣ３から送信される印刷データ７０の構造を示す図である。
印刷データ７０は、ユーザ識別情報ブロック７１と、印刷処理情報ブロック７２と、画像形成データブロック７３とで構成される。ユーザ識別情報ブロック７１には、ＰＣ３から送信したユーザ６を識別する情報（第２の識別情報）が含まれる。印刷処理情報ブロック７２には、ユーザ６がＰＣ３で印刷を指示した際の設定情報が含まれる。画像形成データブロック７３には、印刷対象の画像形成データが含まれる。
【００１７】
図２に示す印刷データ７０には、ユーザ識別情報ブロック７１に、印刷データ７０を作成したユーザ６のユーザ識別情報（UserID）「Ａ１１０３５」が含まれ、印刷処理情報ブロック７２に、印刷形式が「認証印刷」であることと、保存時間が「１時間」であることとが含まれている。
【００１８】
ここで、本実施形態において、印刷形式には「通常印刷」と「認証印刷」とがある。印刷形式が「通常印刷」の印刷データ７０の場合、プリンタ１は、受信した印刷データ７０の画像形成処理を直ぐに開始する（印刷する）印刷形式である。印刷形式が「認証印刷」の印刷データ７０の場合、プリンタ１は、受信した印刷データ７０を記憶部（メモリ）に一旦記憶し、ユーザ６のユーザ認証が成功した後で、記憶部１２に記憶された待機中の印刷データ７０の画像形成処理を開始する印刷形式である。
【００１９】
また、保存時間は、認証印刷である印刷データ７０がプリンタ１の記憶部１２に記憶（保存）しておくことができる時間が「１時間」であることを意味する。プリンタ１は記憶部１２に記憶した時からの時間（保存経過時間）が、印刷データ７０に含まれる保存時間に達すると、プリンタ１はその記憶部１２にて待機中の印刷データ７０を削除する。
【００２０】
［ＰＣ３の構成］
図３に示すように、ＰＣ３（印刷データ送信装置）は、制御部３１（認証部２１２、プリンタドライバ２００（印刷データ作成部２０１、印刷形式設定部２０２、保存時間設定部２０３として機能する））と、記憶部３２（ユーザ識別情報格納部２１３、認証情報格納部２１４）と、通信部３３と、表示部３４と、入力部２１１とを備える。
【００２１】
［制御部３１］
制御部３１は、ＰＣ３の全体を制御する構成部であり、例えば、ＣＰＵで構成され、ＣＰＵが記憶部３２に格納されるＯＳやプログラムを展開し実行することによってＰＣ３の各機能が実現される。本実施形態において、この制御部３１は、ログイン時のユーザ認証を行う認証部２１２と、記憶部３２に格納されるプリンタドライバを実行して機能するプリンタドライバ２００とを備える。これら各構成の詳細な説明は後記する。
【００２２】
［記憶部３２］
記憶部３２は、データやプログラムを記憶する構成部であり、例えば、ＨＤＤ（Hard Disc Drive）、ＲＡＭ（Random Access Memory）、光ディスク等の記憶手段である。この記憶部３２は、ユーザ識別情報格納部２１３と、認証情報格納部２１４とを記憶する。そして、本実施形態において、記憶部３２は、プリンタドライバ２００として制御部３１が機能するプリンタドライバと、文書データなどを作成するための各種アプリケーションとを記憶する。
【００２３】
（ユーザ識別情報格納部２１３）
ユーザ識別情報格納部２１３は、後記する認証部２１２が行うユーザ認証の結果、認証が成功した場合に、その認証が成功したユーザ識別情報（UserID）を一旦記録する。このユーザ識別情報格納部２１３に一旦記録されたユーザ識別情報（UserID）は、ＰＣ３のログオフや電源オフが選択された時に削除される。
【００２４】
（認証情報格納部２１４）
認証情報格納部２１４は、ＰＣ３を利用可能なユーザ６の情報を記録する。この認証情報格納部２１４には、ＰＣ３の利用者として登録されたユーザ６のユーザ識別情報（UserID）とパスワード（Password）とが記録されている。
【００２５】
［通信部３３］
通信部３３は、ネットワーク２と接続するインタフェースであり、後記する制御部３１１の図示しない通信制御部に制御されて、プリンタ１と通信可能に接続し、データの送受信を行う構成部である。
【００２６】
［表示部３４］
表示部３４は、ユーザが視認可能な情報を表示する表示部であり、例えば、ＬＣＤ（Liquid Crystal Display）やディスプレイなどである。本実施形態において、ＰＣ３が起動して図４に示すログイン画面が表示部３４に表示される。このログイン画面には、ユーザ名入力欄と、パスワード入力欄とが表示される。
【００２７】
［入力部２１１］
入力部２１１は、ユーザからの要求を受け付ける入力部であり、例えば、キーボードやマウスなどである。本実施形態において、入力部２１１は、表示部３４に表示されたログイン画面（図４）にて、ユーザ６に操作されて、ユーザ名入力欄にはユーザ識別情報（UserID）が入力され、パスワード入力欄にはパスワード（Password）が入力される。
【００２８】
［制御部３１］
制御部３１の各構成について説明する。
【００２９】
（認証部２１２）
認証部２１２は、ＰＣ３を利用するユーザ６のユーザ識別情報（UserID）を取得する構成部である。この認証部２１２は、ＰＣ３にログインする際に、ユーザ６により入力部２１１を介して入力された、ユーザ識別情報（UserID）とパスワード（Password）とを用いて、ユーザ認証を行う。
入力されたユーザ識別情報（UserID）とパスワード（Password）と、認証情報格納部２１４に記録された（ＰＣ３の利用者登録済みの）ユーザ識別情報（UserID）とパスワード（Password）とが一致したとき、認証部２１２は認証成功と判定し、ＰＣ３の利用を可能にして、入力されたユーザ識別情報（UserID）をユーザ識別情報格納部２１３に格納する。
【００３０】
（プリンタドライバ２００）
プリンタドライバ２００は、記憶部３２に格納されるプリンタドライバが制御部３１に実行されることで、印刷データ作成部２０１と、印刷形式設定部２０２と、保存時間設定部２０３として機能する。
【００３１】
（印刷形式設定部２０２）
印刷形式設定部２０２は、印刷形式情報（認証印刷／通常印刷）を取得する構成部である。この印刷形式設定部２０２は、ユーザ６に対して印刷形式情報（認証印刷／通常印刷）の選択を促す画面データを生成して、表示部３４の画面に表示させ、入力部２１１を介して選択された印刷形式情報を取得する。
【００３２】
（保存時間設定部２０３）
保存時間設定部２０３は、印刷形式情報が「認証印刷」である印刷データ７０から保存時間を取得する構成部である。この保存時間設定部２０３は、印刷形式情報が「認証印刷」であるときに、ユーザ６に対して印刷データ７０の保存時間の指定を促す画面データを生成して、表示部３４の画面に表示させ、入力部２１１を介して指定された保存時間情報を取得する。
【００３３】
（印刷データ作成部２０１）
印刷データ作成部２０１は、ユーザ識別情報格納部２１３からユーザ識別情報（UserID）を取得し、印刷形式設定部２０２から印刷形式情報を取得し、保存時間設定部２０３から保存時間情報を取得し、図２に示す印刷データ７０を作成する。
そして、通信部３３により、印刷データ７０は、(指定された)プリンタ１に送信される。
【００３４】
［プリンタ１の構成］
図５に示すように、プリンタ１（画像形成装置）は、制御部１１（データ処理部１０１、未登録ユーザリスト作成部１０４、カード情報制御部１０６、カード情報取得部１０９）と、記憶部１２（待機ジョブ管理テーブル１１２、カード情報テーブル１１３、未登録ユーザリスト１１５）と、操作パネル部１１０（操作部１０７、表示部１０８、操作パネル制御部１１８）と、入力部としてのカードリーダ１１４と、通信部１３と、タイマ１１１と、印刷部１０２（画像処理部１１６、画像形成部１１７）とを備える。
【００３５】
［制御部１１］
制御部１１は、プリンタ１の全体を制御する構成部であり、例えば、ＣＰＵで構成され、ＣＰＵが記憶部１２に格納されるＯＳやプログラムを展開し実行することによってプリンタ１の各機能が実現される。本実施形態において、この制御部１１は、データ処理部１０１と、未登録ユーザリスト作成部１０４と、認証情報登録部としてのカード情報制御部１０６と、カード情報取得部１０９と、画像処理部１１６と、操作パネル制御部１１８とを備える。これら各構成の詳細な説明は後記する。
【００３６】
また、この制御部１１は、第２次ユーザ認証を実行する第２の認証部として機能する。これは、後記するＰＣ３の認証部２１２が行う第１次ユーザ認証の後で行われるためである。
【００３７】
［記憶部１２］
記憶部１２は、データやプログラムを記憶する構成部であり、例えば、ＨＤＤ（Hard Disc Drive）、ＲＡＭ（Random Access Memory）、光ディスク等の記憶手段である。本実施形態において、この記憶部１２は、待機ジョブ管理テーブル１１２と、認証情報テーブルとしてのカード情報テーブル１１３とを備え、印刷データ７０が一旦記憶され、未登録ユーザリスト１１５が記憶される。
【００３８】
（待機ジョブ管理テーブル１１２）
待機ジョブ管理テーブル１１２は、記憶部１２にて待機中の印刷データ７０の一覧である。
図６を用いて待機ジョブ管理テーブル１１２のテーブル構造を説明する。この待機ジョブ管理テーブル１１２には、印刷データ７０から得られるユーザ識別情報（UserID）と、印刷データ７０を識別する情報（例えば、ファイル名）とが記録される。例えば、図６に示す待機ジョブ管理テーブル１１２には、１行目にユーザ識別情報（UserID）「Ａ１１０２３」と印刷データ識別情報としてファイル名「ドキュメント７０１」が記録されている。以下、２行目には、「Ａ１１０５８」と「ドキュメント７０２」、３行目には、「Ａ１１０１１」と「ドキュメント７０３」、４行目には、「Ａ１１０３５」と「ドキュメント７０４」が記録されている。
【００３９】
（カード情報テーブル１１３）
カード情報テーブル１１３は、プリンタ１を利用可能なユーザ６の一覧である。
図７を用いてカード情報テーブル１１３のテーブル構造を説明する。このカード情報テーブル１１３に、ユーザ６を特定するユーザ識別情報（UserID）と、ユーザ６が所有するＩＣカード７のカード識別情報（CardID）とを関連付けて記録することで、ユーザ６がプリンタ１の利用者として登録される。このカード情報テーブル１１３には、カード識別情報（CardID）が第１の認証情報として、ユーザ識別情報（UserID）が第２の認証情報として記録される。例えば、図７に示すカード情報テーブル１１３には、１行目にカード識別情報（CardID）「０１０１」とユーザ識別情報（UserID）「Ａ１１０２３」が記録されている。以下、２行目には、「０１０９」と「Ａ１１０１１」が記録されている。すなわち、図１におけるユーザ６ｂとユーザ６ｃとが利用可能なユーザとして登録されている。
【００４０】
（未登録ユーザリスト１１５）
未登録ユーザリスト１１５は、待機中の印刷データ７０に含まれるユーザ識別情報（UserID）（第２の識別情報）のうち、カード情報テーブル１１３に記録されていない（未登録の）ユーザ識別情報（UserID）の一覧である。後記する未登録ユーザリスト作成部１０４により作成されるテーブルである。
図８を用いて未登録ユーザリスト１１５のテーブル構造を説明する。未登録ユーザリスト１１５には、ユーザ識別情報（UserID）の一覧がリスト表示され、各ユーザ識別情報には、昇順にリスト番号が割り振られている。例えば、図８に示す未登録ユーザリスト１１５には、ユーザ識別情報「Ａ１１０３５」と「Ａ１１０５８」とが記録されており、ユーザ識別情報「Ａ１１０３５」にはリスト番号「１」が割り振られ、ユーザ識別情報「Ａ１１０５８」にはリスト番号「２」が割り振られている。すなわち、図１におけるユーザ６ａが未登録者としてリストアップされている。
【００４１】
［操作パネル部１１０］
操作パネル部１１０は、操作パネル部１１０の全体を制御する操作パネル制御部１１８と、ユーザ６に操作されて要求を受け付ける操作部１０７と、ユーザ６が視認可能な情報を表示する表示部１０８とを備える。この操作パネル部１１０は、例えば、ＬＣＤのような表示機能とタッチパッドのような位置入力機能との双方を兼ね備えたタッチパネルである。操作パネル制御部１１８は制御部１１の構成部でもある。
図９に操作パネル部１１０の外観図を示す。操作パネル部１１０は、ＯＫボタン１０７１、ＣＡＮＣＥＬボタン１０７２、ＵＰボタン１０７３、およびＤＯＷＮボタン１０７４で構成される操作部１０７と、画面を有する表示部１０８とを備える。
【００４２】
操作パネル制御部１１８は、操作パネル部１１０の全体を制御する構成部であり、表示部１０８の画面に表示可能な画面データを生成したり、操作部１０７に入力されたデータをカード情報制御部１０６に出力したりする。
【００４３】
［カードリーダ１１４］
カードリーダ１１４は、かざされたＩＣカード７からデータを読み取る構成部である。
【００４４】
［通信部１３］
通信部１３は、ネットワーク２と接続するインタフェースであり、後記する制御部１１の図示しない通信制御部に制御されて、ＰＣ３と通信可能に接続し、データの送受信を行う構成部である。
【００４５】
［タイマ１１１］
タイマ１１１は、時刻を取得する。制御部１１は、このタイマ１１１を用いて経過時間を計測（カウント）する。
【００４６】
［印刷部１０２］
印刷部１０２は、ＰＣ３から受信した印刷データから画像形成データに画像処理を行い、画像を媒体に形成する構成部である。この印刷部１０２は、画像形成データに画像処理を行う画像処理部１１６と、画像処理後の画像を媒体に形成する画像形成部１１７とで構成される。画像処理部１１６は制御部１１の構成部でもある。
【００４７】
（画像処理部１１６）
画像処理部１１６は、印刷データ７０（画像形成データブロック７３）を解析して抽出した画像形成データに画像処理を行って、画像形成部１１７に出力する。この画像処理部１１６は、制御部１１であってもよい。
【００４８】
（画像形成部１１７）
画像形成部１１７は、現像装置、露光装置、感光ドラム、現像ローラ、転写ローラ、定着器（ヒータ）などを備え、ＣＰＵ（制御部１１）に制御されて、用紙などの媒体上に画像を形成（印刷）する構成部である。画像形成部１１７は、内部に備える駆動部（各種ローラやベルト）を駆動することで、給紙カセットに載置された媒体を搬送する。画像形成部１１７は、画像処理部１１６による画像処理後の画像データに基づき露光装置が感光ドラムに静電潜像を形成し、現像ローラから電界の力によってトナーを移動して、静電潜像にトナーを付着させたトナー画像を形成する。そして、画像形成部１１７は、感光ドラムに形成されたトナー画像を転写ローラで媒体に転写し、定着器（ヒータ）を用いて媒体上にトナー画像を加熱定着して、画像を媒体上に形成（印刷）して、媒体を排紙トレイに排出する。これにより、ユーザ６は、プリンタ１から排出された媒体（印刷物）を回収することができる。
【００４９】
［制御部１１］
制御部１１の各構成について説明する。ここでは、前述の画像処理部１１６および操作パネル制御部１１８については、説明を省略する。
【００５０】
（データ処理部１０１）
データ処理部１０１は、ＰＣ３から送信される印刷データ７０を処理する構成部である。このデータ処理部１０１は、通信部１３を介して、ＰＣ３から受信した印刷データ７０を取得し、印刷データ７０に含まれるユーザ識別情報（UserID）と、印刷形式情報と、保存時間情報とを抽出する。ここで印刷形式情報が「通常印刷」であれば、印刷データ７０を印刷部１０２に出力する。一方、印刷形式情報が「認証印刷」であれば、印刷データ７０を一旦記憶部１２に記憶させ、待機ジョブ管理テーブル１１２にその印刷データ７０の情報を記録させる。そして、データ処理部１０１は、ユーザ認証成功後に印刷データ７０を印刷部１０２に出力する。
【００５１】
また、データ処理部１０１は、タイマ１１１から時刻を取得し、記憶部１２にて待機中の印刷データ７０の保存経過時間（記憶部１２に記憶された時刻からの時間）が、印刷データ７０に含まれる保存時間に達すると、その印刷データ７０を記憶部１２から削除する。
【００５２】
（未登録ユーザリスト作成部１０４）
未登録ユーザリスト作成部１０４は、未登録ユーザリスト１１５を作成する構成部である。この未登録ユーザリスト作成部１０４は、（記憶部１２に記憶された印刷データ７０の一覧情報である）待機ジョブ管理テーブル１１２から、カード情報テーブル１１３に登録されていないユーザ識別情報（UserID）を取得して、そのリスト（未登録ユーザリスト１１５）を作成する。
【００５３】
（カード情報制御部１０６）
カード情報制御部１０６は、認証に必要な登録済みのユーザ識別情報（UserID）をデータ処理部１０１に提供する構成部である。このカード情報制御部１０６は、カードリーダ１１４にかざされたＩＣカード７からカード情報取得部１０９が読み取ったカード識別情報（CardID）を取得する。そして、カード情報制御部１０６は、記憶部１２のカード情報テーブル１１３からそのカード識別情報（CardID）と関連付けられているユーザ識別情報（UserID）を抽出する。そして、カード情報制御部１０６は、そのユーザ識別情報（UserID）をデータ処理部１０１に出力する。（これにより、データ処理部１０１は、カード情報制御部１０６から取得したユーザ識別情報（UserID）と一致する、一旦記憶部１２に記憶させた印刷データ７０に含まれるユーザ識別情報（UserID）があれば、その印刷データ７０を印刷させる。）
【００５４】
また、カード情報制御部１０６は、未登録ユーザに対して新規ユーザ登録を行う構成部である。このカード情報制御部１０６は、記憶部１２のカード情報テーブル１１３にカード識別情報（CardID）と関連付けられているユーザ識別情報（UserID）が存在していなかった場合、新規ユーザ登録を実行して、カード識別情報（CardID）とユーザ識別情報（UserID）の関連付けを行う。カード情報制御部１０６は、新規ユーザ登録後、登録したユーザ識別情報（UserID）をデータ処理部１０１に出力する。
【００５５】
（カード情報取得部１０９）
カード情報取得部１０９は、ＩＣカード７からデータを読み取る構成部である。このカード情報取得部１０９は、ユーザ６によりカードリーダ１１４にＩＣカード７がかざされることで、カードリーダ１１４がＩＣカード７から読み取ったデータから、ＩＣカード７を識別する情報であるカード識別情報（CardID）を取得する。
【００５６】
［ＰＣ３の印刷データ送信動作］
次に、図１１を参照して、ＰＣ３の印刷データ送信動作について説明する（適宜、図１ないし図１０を参照）。
この時点において、ＰＣ３ａではログイン画面でユーザ認証が行われており、ユーザ６ａに入力されたユーザ識別情報（UserID）「Ａ１１０３５」はユーザ識別情報格納部２１３に格納されている状態である。
【００５７】
ユーザ６ａは、入力部２１１を介して、各種アプリケーションを用いて文書データを作成する。この印刷データの印刷要求を行うことにより、制御部３１によりプリンタドライバが起動する（ステップＳ１０１）。これにより制御部は、プリンタドライバ２００として実行する。
【００５８】
まず、プリンタドライバ２００（制御部３１）は、印刷形式設定部２０２として機能する。この印刷形式設定部２０２は、ユーザ６に対して印刷形式（認証印刷／通常印刷）の選択を促す画面データを生成して、表示部３４の画面に表示させ、入力部２１１を介して選択された印刷形式情報を取得する（ステップＳ１０２）。ここでは、ユーザ６ａにより「認証印刷」が選択されたとする。
【００５９】
そして、印刷形式情報が「認証印刷」であれば、プリンタドライバ２００（制御部３１）は、保存時間設定部２０３として機能する。保存時間設定部２０３は、ユーザ６に対して印刷データ７０の保存時間の指定を促す画面データを生成して、表示部３４の画面に表示させ、入力部２１１を介して指定された保存時間情報を取得する（ステップＳ１０３）。ここでは、ユーザ６ａにより「１時間」が選択されたとする。
【００６０】
次に、プリンタドライバ２００（制御部３１）は、印刷データ作成部２０１として機能する。まず、印刷データ作成部２０１は、ユーザ識別情報格納部２１３からユーザ識別情報（UserID）を取得する（ステップＳ１０４）。
【００６１】
そして、印刷データ作成部２０１は、文書データから画像形成データを生成し、印刷形式情報（＝「認証印刷」）と、保存時間情報（＝「１時間」）と、ユーザ識別情報（UserID）とを含めて、印刷データ７０を作成する（ステップＳ１０５）。
【００６２】
最後に、プリンタドライバ２００（制御部３１）は、通信部３３を制御して、印刷データ７０をプリンタ１宛てに送信させる（ステップＳ１０６）。
【００６３】
［プリンタ１の認証印刷動作］
次に、図１２〜図１４を参照して、プリンタ１の認証印刷処理について説明する（適宜、図１ないし図１１を参照）。
【００６４】
まず、プリンタ１は、通信部１３がＰＣ３（３ａ）から印刷データ７０を受信する（ステップＳ２０１）。
データ処理部１０１は、受信した印刷データ７０（図２参照）を解析して、印刷形式情報を抽出し（ステップＳ２０２）、印刷形式は「認証印刷」であったか否かを判定する（ステップＳ２０３）。
【００６５】
「認証印刷」であれば（ステップＳ２０３，Ｙｅｓ）、データ処理部１０１は、印刷データ７０を記憶部１２に一旦記憶させる（ステップＳ２０４）。さらに、データ処理部１０１は、印刷データ７０からユーザ識別情報（UserID）を抽出し、ユーザ識別情報（UserID）と印刷データ７０を識別する情報（印刷データ識別情報）とを待機ジョブ管理テーブル１１２に記録させる（ステップＳ２０５）。
そして、図１３のステップＳ３０１が行われるまで待機する。
【００６６】
一方、印刷形式が「通常印刷」であり、「認証印刷」でなければ（ステップＳ２０３，Ｎｏ）、データ処理部１０１は印刷データ７０を印刷部１０２に出力する（ステップＳ２０６）。これにより、印刷部１０２は印刷データ７０に基づき印刷を実行する（ステップＳ２０７）。これにより、画像が形成された媒体（印刷物）が排紙トレイに排出される。そして、全ての処理を終了する。
【００６７】
ユーザ６（６ａ）は、ＰＣ３（３ａ）に印刷データ７０を送信させた後、プリンタ１の場所まで行く。
【００６８】
まず、ユーザ６（６ａ）により、ＩＣカード７（７ａ）がカードリーダ１１４にかざされる（図１３のステップＳ３０１）。カード情報取得部１０９は、カードリーダ１１４がＩＣカード７ａを読み取ったデータからカード識別情報（CardID）を取得する（ステップＳ３０２）。そして、カード情報取得部１０９は、取得したカード識別情報（CardID）「０１０８」をカード情報制御部１０６に出力する。
【００６９】
カード情報制御部１０６は、カード情報取得部１０９から取得したカード識別情報（CardID）がカード情報テーブル１１３に記録（登録）されているか否かを判定する（ステップＳ３０３；カード識別情報（CardID）は登録済？）。
【００７０】
登録されていれば（ステップＳ３０３，Ｙｅｓ）、カード情報制御部１０６は、カード情報テーブル１１３から、カード識別情報（CardID）と関連付けて記録されているユーザ識別情報（UserID）を取得する（ステップＳ３０４）。そして、カード情報制御部１０６は、取得したユーザ識別情報（UserID）をデータ処理部１０１に出力する（ステップＳ３０５）。
【００７１】
データ処理部１０１は、取得したユーザ識別情報（UserID）を用いて、待機ジョブ管理テーブル１１２から、ユーザ識別情報（UserID）と関連付けて記録されている印刷データ７０を識別する情報（印刷データ識別情報）を取得し、その印刷データ識別情報に基づき、記憶部１２から印刷データ７０を取得する（ステップＳ３０６）。そして、（Ｂ）を介して、図１２に戻り、データ処理部１０１は印刷データ７０を印刷部１０２に出力する（ステップＳ２０６）。
【００７２】
一方、ステップＳ３０３の判定処理にて、カード識別情報（CardID）がカード情報テーブル１１３に記録（登録）されていなければ（ステップＳ３０３，Ｎｏ）、カード情報制御部１０６は、未登録ユーザリスト作成部１０４に［未登録ユーザリスト作成処理］を実行させる（ステップＳ３０７）。この［未登録ユーザリスト作成処理］の詳細な説明は後記する。
【００７３】
未登録ユーザリスト作成部１０４が未登録ユーザリスト作成処理を終了後、カード情報制御部１０６は、未登録ユーザリスト作成部１０４が作成した未登録ユーザリスト１１５にリストデータがあるか否かを判定する（ステップＳ３０８）。
１つもリストデータがなければ（ステップＳ３０８，Ｎｏ）、これはすなわち、ＩＣカード７が登録されていない上に、さらに、印刷データ７０が記憶部１２に１つも記憶されていないことを示す。カード情報制御部１０６は、操作パネル制御部１１８に、ＩＣカード７が登録されていないことを示す画面（図１５）を表示部１０８に表示させるように指示する（ステップＳ３０９）。そして、（Ｅ）を介して図１２に戻り、処理を終了する。
【００７４】
一方、未登録ユーザリスト１１５にリストデータがあれば（ステップＳ３０８，Ｙｅｓ）、（Ｃ）を介して、図１３のステップＳ４０１の処理を行う。
カード情報制御部１０６は、未登録ユーザリスト１１５のリストデータを取得し（ステップＳ４０１）、操作パネル制御部１１８に、未登録ユーザリスト１１５の画面（図１６）を表示部１０８に表示させるように指示する（ステップＳ４０２）。この未登録ユーザリスト１１５は、ユーザ識別情報（UserID）が選択可能に表示される。本実施形態では、図１６に示すように、表示部１０８には「Ａ１１０３５」と「Ａ１１０５８」とが選択可能に表示されている。
【００７５】
ユーザ６（６ａ）により、ＵＰボタン１７０３やＤＯＷＮボタン１７０４（図９）が押下され、表示部１０８に表示されたリストの１つが選択され、ＯＫボタン１０７１（図９）が押下される（ステップＳ４０３）。これにより、カード情報制御部１０６は、操作パネル制御部１１８を介して、ユーザ６ａに選択されたリストの行番号（リスト番号）を取得する（ステップＳ４０４）。ここで、ユーザ６ａによりＣＡＮＣＥＬボタン１７０２が押下された場合には、全ての処理を終了する。
【００７６】
そして、カード情報制御部１０６は、未登録ユーザリスト１１５から、リスト番号に関連付けられているユーザ識別情報（UserID）を取得し（ステップＳ４０５）、操作パネル制御部１１８に、登録確認メッセージ（図１７）を表示部１０８に表示させるように指示する（ステップＳ４０６）。
【００７７】
ユーザ６（６ａ）によりＯＫボタン１０７１（図９）が押下される（ステップＳ４０７）。これにより、カード情報制御部１０６は、ステップＳ４０５で取得したユーザ識別情報（UserID）と、ステップＳ３０１で取得したカード識別情報（CardID）とをカード情報テーブル１１３に記録する（ステップＳ４０８）。これにより図１のユーザ６ａが所有するＩＣカード７ａのカード識別情報（CardID）「０１０８」と、ユーザ６ａを特定するユーザ識別情報（UserID）「Ａ１１０３５」とが、図１８に示すようにカード情報テーブル１１３に記録される。これで、ユーザ６ａはプリンタ１の利用者として登録されたこととなる（新規ユーザ登録完了）。
一方、ユーザ６ａによりＣＡＮＣＥＬボタン１７０２が押下された場合には、全ての処理を終了する。
【００７８】
そして、ステップＳ４０８の処理の後、（Ｄ）を介して図１３に戻り、ステップＳ３０５、ステップＳ３０６の処理を経て、（Ｂ）を介して、図１２に戻り、ステップＳ２０６、ステップＳ２０７の処理を行う。これにより、ユーザ６は、プリンタ１から排出された媒体（印刷物）を回収することができる。
【００７９】
［未登録ユーザリスト作成部１０４の未登録ユーザリスト作成処理動作］
次に、図１９を参照して、図１３のステップＳ３０７に示す未登録ユーザリスト作成部１０４の未登録ユーザリスト作成処理動作について説明する（適宜、図１ないし図１８を参照）。
まず、未登録ユーザリスト作成部１０４は、待機ジョブ管理テーブル１１２を参照して、データが記録されているか否かを判定する（ステップＳ５０１）。
【００８０】
１つもデータが記録されていなければ（ステップＳ５０１，Ｎｏ）、未登録ユーザリスト作成部１０４は、空の未登録ユーザリスト１１５を作成して（ステップＳ５０２）、記憶部１２に一旦記憶させる（ステップＳ５０３）。そして、未登録ユーザリスト作成部１０４は、当該未登録ユーザリスト作成処理を終了して、図１３の次のステップＳ３０７の処理をさせる。
【００８１】
一方、ステップＳ５０１の処理において、待機ジョブ管理テーブル１１２にデータが記録されていれば（ステップＳ５０１，Ｙｅｓ）、未登録ユーザリスト作成部１０４は、記憶部１２に記憶されている印刷データ７０の数を数え、その総数（印刷データ総数）を取得する（ステップＳ５０４）。
【００８２】
そして、未登録ユーザリスト作成部１０４は、記憶部１２に記憶されている印刷データ７０の１つから、ユーザ識別情報（UserID）を取得する（ステップＳ５０５）。
次に、未登録ユーザリスト作成部１０４は、カード情報テーブル１１３を参照して、取得したユーザ識別情報（UserID）と同じユーザ識別情報（UserID）がカード情報テーブル１１３に記録されているか否かを判定する（ステップＳ５０６）。
【００８３】
同じユーザ識別情報（UserID）がカード情報テーブル１１３に記録されていれば（ステップＳ５０６，Ｙｅｓ）、次にステップＳ５０８の処理を行う。
【００８４】
一方、取得したユーザ識別情報（UserID）がカード情報テーブル１１３に記録されていなければ（ステップＳ５０６，Ｎｏ）、未登録ユーザリスト作成部１０４は、このユーザ識別情報（UserID）を未登録ユーザリスト１１５に加える（ステップＳ５０７）。
そして、未登録ユーザリスト作成部１０４は、ステップＳ５０５の処理を印刷データ総数回、繰り返し行ったか否かを判定する（ステップＳ５０８）。すなわち、記憶部１２に記憶されている印刷データ７０の全てに対して、印刷データ７０を送信したユーザ６がプリンタ１の利用者として登録されているか否かを判定する。
【００８５】
まだステップＳ５０５の処理を行っていない印刷データ７０があれば（ステップＳ５０８，Ｎｏ）、ステップＳ５０５の処理に戻り、未取得の印刷データ７０の１つから、ユーザ識別情報（UserID）を取得する。
一方、全ての印刷データ７０に対してステップＳ５０５の処理を行っていれば（ステップＳ５０８，Ｙｅｓ）、未登録ユーザリスト作成部１０４は、作成した未登録ユーザリストをカード情報制御部１０６に出力する（ステップＳ５０９）。そして、未登録ユーザリスト作成部１０４は、当該未登録ユーザリスト作成処理を終了して、図１３の次のステップＳ３０７の処理をさせる。
【００８６】
以上のように、第１の実施形態によれば、管理者は、カード識別情報（CardID）とユーザ識別情報（UserID）とが関連付けられた管理情報を登録する必要がなくなる。そのため、カード認証印刷を可能にするプリンタ（画像形成装置）を導入した場合における管理者の作業負担が低減される。
また、ＩＣカードを所有するユーザ自身が、カード識別情報（CardID）とユーザ識別情報（UserID）とを関連付けることになるが、ユーザは画面に表示されたリストから選択するという簡単な操作で関連付けることができる。このように、管理者の作業負担が低減された負担量に対して、ユーザにかかる負担を遙かに少なくすることができるという効果が得られる。
【００８７】
≪第２の実施形態≫
第２の実施形態に係る画像形成システム１０Ａについて説明する。
この第２の実施形態に係る画像形成システム１０Ａは、第１の実施形態に係る画像形成システム１０にて、ユーザ識別情報（UserID）とカード識別情報（CardID）との２つの情報を用いて行っていた認証方法に、さらに、パスワード（Password）を加えた認証方法である。
【００８８】
ここで、画像形成システム１０Ａは、第１の実施形態に係る画像形成システム１０と同様の構成であり、画像形成装置であるプリンタ１Ａと、ユーザ６（６ａ，６ｂ，６ｃ）に操作される複数台のＰＣ３（ＰＣ３ａ，ＰＣ３ｂ，ＰＣ３ｃ）とを備える。これらの各装置は、有線または無線によるネットワーク２を介して、通信可能に接続されている。
【００８９】
第２の実施形態に係るプリンタ１Ａは、未登録ユーザ（ユーザ６ａ）を特定するユーザ識別情報（UserID）と、その未登録ユーザ（ユーザ６ａ）が所有するＩＣカード７のカード識別情報（CardID）とを関連付けてカード情報テーブル１１３に記録させるときに、パスワード認証を行うことができる。
ＰＣ３Ａから送信される印刷データ７０Ａに含まれるパスワード（print_pw）と、プリンタ１Ａの操作部１０７を介して入力されたパスワード（print_pw）とが一致したときに、パスワード認証が成功となり、ユーザ識別情報（UserID）とカード識別情報（CardID）とが関連付けられてカード情報テーブル１１３に記録される。
【００９０】
［ＰＣ３Ａ］
第２の実施形態に係るＰＣ３Ａについて図２０を用いて説明する。
第２実施形態に係るＰＣ３Ａは、第１の実施形態に係るＰＣ３にインストールされたプリンタドライバとは異なり、制御部３１Ａに実行されることで、パスワード設定部３０４として機能する点で異なっている。
また、ＰＣ３Ａは、第１の実施形態に係るＰＣ３とは一部機能が異なる構成部を備える。これらの構成部には同名称別符号を付し、印刷データ作成部２０１Ａとした。その詳細については後記する。
その他の構成は同様なので、説明を便宜的に省略する。
【００９１】
パスワード設定部３０４は、印刷形式情報が「認証印刷」であるときの印刷データ７０Ａに含めるパスワード（print_pw）を取得する構成部である。このパスワード設定部３０４は、印刷形式情報が「認証印刷」であるときに、ユーザ６に対して印刷データ７０Ａに設定するパスワード（print_pw）の入力を促す画面データを生成して、表示部３４の画面に表示させ、入力部２１１を介して入力されたパスワード（print_pw）を取得する。
【００９２】
印刷データ作成部２０１Ａは、ユーザ識別情報格納部２１３からユーザ識別情報（UserID）を取得し、印刷形式設定部２０２から印刷形式情報を取得し、保存時間設定部２０３から保存時間情報を取得し、パスワード設定部３０４からパスワード（print_pw）を取得し、図２１に示す印刷データ７０Ａを作成する。
そして、通信部３３により、印刷データ７０Ａは、(指定された)プリンタ１Ａに送信される。
【００９３】
［プリンタ１Ａ］
第２の実施形態に係るプリンタ１Ａについて図２２を用いて説明する。
第２実施形態に係るプリンタ１Ａは、第１の実施形態に係るプリンタ１とは一部機能が異なる構成部を備える。これらの構成部には同名称別符号を付した。その詳細については後記する。
その他の構成は同様なので、説明を便宜的に省略する。
【００９４】
［データ処理部１０１Ａ］
データ処理部１０１Ａは、第１の実施形態に係るデータ処理部１０１と同様に、ＰＣ３から送信される印刷データ７０Ａを処理する構成部である。
このデータ処理部１０１Ａは、印刷データ７０Ａに含まれるユーザ識別情報（UserID）と、印刷形式情報と、保存時間情報と、パスワード（print_pw）とを抽出する。印刷形式情報が「認証印刷」であれば、印刷データ７０Ａを一旦記憶部１２に記憶させ、待機ジョブ管理テーブル１１２Ａにその印刷データ７０Ａの情報を記録させる。そして、データ処理部１０１Ａは、認証完了後に印刷データ７０Ａを印刷部１０２に出力する。
【００９５】
［待機ジョブ管理テーブル１１２Ａ］
待機ジョブ管理テーブル１１２Ａは、第１の実施形態に係る待機ジョブ管理テーブル１１２と同様に、記憶部１２にて待機中の印刷データ７０Ａの一覧である。
図２３を用いて待機ジョブ管理テーブル１１２Ａのテーブル構造を説明する。この待機ジョブ管理テーブル１１２Ａには、印刷データ７０Ａから得られるユーザ識別情報（UserID）と、印刷データ７０Ａを識別する情報（例えば、ファイル名）と、パスワード（print_pw）とが記録される。例えば、図２３に示す待機ジョブ管理テーブル１１２Ａには、１行目にユーザ識別情報（UserID）「Ａ１１０２３」と印刷データ識別情報としてファイル名「ドキュメント７０１」とパスワード「NULL」とが記録されている。この「NULL」はパスワード（print_pw）が設定されていないことを示す。以下、２行目には、「Ａ１１０５８」と「ドキュメント７０２」と「NULL」とが記録され、３行目には、「Ａ１１０１１」と「ドキュメント７０３」と「NULL」とが記録され、４行目には、「Ａ１１０３５」と「ドキュメント７０４」と「12345」が記録されている。すなわち、４行目の印刷データ７０Ａには、パスワード（print_pw）が設定されていることを示している。
【００９６】
［未登録ユーザリスト作成部１０４Ａ］
未登録ユーザリスト作成部１０４Ａは、第１の実施形態に係る未登録ユーザリスト作成部１０４と同様に、未登録ユーザリスト１１５Ａを作成する構成部である。この未登録ユーザリスト作成部１０４Ａは、（記憶部１２に記憶された印刷データ７０Ａの一覧情報である）待機ジョブ管理テーブル１１２Ａから、カード情報テーブル１１３に登録されていないユーザ識別情報（UserID）を取得して、そのリスト（未登録ユーザリスト１１５Ａ）を作成する。
【００９７】
［未登録ユーザリスト１１５Ａ］
未登録ユーザリスト１１５Ａは、第１の実施形態に係る未登録ユーザリスト１１５と同様に、待機中の印刷データ７０Ａに含まれるユーザ識別情報（UserID）のうち、カード情報テーブル１１３に記録されていない（未登録の）ユーザ識別情報（UserID）の一覧である。
図２４を用いて未登録ユーザリスト１１５Ａのテーブル構造を説明する。未登録ユーザリスト１１５Ａには、ユーザ識別情報（UserID）の一覧がリスト表示され、各ユーザ識別情報には、昇順にリスト番号が割り振られている。例えば、図２４に示す未登録ユーザリスト１１５Ａには、ユーザ識別情報「Ａ１１０３５」とパスワード「12345」のデータと、「Ａ１１０５８」と「NULL」のデータとが記録されており、ユーザ識別情報「Ａ１１０３５」にはリスト番号「１」が割り振られ、ユーザ識別情報「Ａ１１０５８」にはリスト番号「２」が割り振られている。
【００９８】
［操作パネル制御部１１８Ａ］
操作パネル制御部１１８Ａは、第１の実施形態に係る操作パネル制御部１１８と同様に、操作パネル部１１０の全体を制御する構成部であり、表示部１０８の画面に表示可能な画面データを生成したり、操作部１０７に入力されたデータをカード情報制御部１０６Ａに出力したりする。
この操作パネル制御部１１８Ａは、図２６に示すパスワード入力画面を表示部１０８の画面に表示して、ユーザ６に対して印刷データ７０Ａに設定したパスワード（print_pw）の入力を促す。このとき操作部１０７を介して入力されたパスワード（print_pw）を取得し、カード情報制御部１０６Ａに出力する。
【００９９】
［カード情報制御部１０６Ａ］
カード情報制御部１０６Ａは、第１の実施形態に係るカード情報制御部１０６と異なり、印刷データ７０Ａに含まれるパスワード（print_pw）と、操作部１０７に入力されたパスワード（print_pw）とのパスワード認証を行う構成部である。
そして、カード情報制御部１０６Ａはパスワード認証後に、第１の実施形態に係るカード情報制御部１０６と同様に、認証に必要な登録済みのユーザ識別情報（UserID）をデータ処理部１０１Ａに提供する構成部である。
【０１００】
［プリンタ１の認証印刷動作］
次に、図２５を参照して、第２の実施形態におけるプリンタ１の認証印刷動作について説明する（適宜、図１ないし図２４を参照）。
図１４のステップＳ４０７の処理後に、カード情報制御部１０６Ａは、未登録ユーザリスト１１５Ａから、リスト番号に関連付けられているパスワード（print_pw）があるか否かを判定する（ステップＳ６０１）。
パスワードがなければ（ステップＳ６０１，Ｎｏ）、ステップＳ４０８の処理を行う。
一方、パスワードがあれば（ステップＳ６０１，Ｙｅｓ）、未登録ユーザリスト１１５Ａから、リスト番号に関連付けられているパスワード（print_pw）を取得する（ステップＳ６０２）。
そして、カード情報制御部１０６Ａは、操作パネル制御部１１８に、パスワード入力画面（図２６）を表示部１０８に表示させるように指示する（ステップＳ６０３）。
【０１０１】
カード情報制御部１０６Ａは、ユーザ６（６ａ）により操作部１０７を介して入力されたパスワード（print_pw）を取得する（ステップＳ６０４）。
そして、カード情報制御部１０６Ａは、ステップＳ６０２で取得したパスワード（print_pw）と、ステップＳ６０４で入力されたパスワード（print_pw）とが一致するか否かを判定する（ステップＳ６０５）。
【０１０２】
一致しなければ（ステップＳ６０５，Ｎｏ）、カード情報制御部１０６Ａは、操作パネル制御部１１８に、カード登録失敗メッセージ画面（図２７）を表示部１０８に表示させるように指示する（ステップＳ６０６）。そして、（Ｅ）を介して図１２に戻り、処理を終了する。
一方、一致すれば（ステップＳ６０５，Ｙｅｓ）、カード情報制御部１０６Ａは、ステップＳ４０８の処理を行う。
【０１０３】
［未登録ユーザリスト作成部１０４の未登録ユーザリスト作成処理動作］
次に、図２８を参照して、図１３のステップＳ３０７に示す未登録ユーザリスト作成部１０４の未登録ユーザリスト作成処理動作について説明する（適宜、図１ないし図２７を参照）。
図１９のステップＳ５０７の処理後に、未登録ユーザリスト作成部１０４は、ステップＳ５０５でユーザ識別情報（UserID）を取得した印刷データ７０Ａにパスワード（print_pw）が含まれているか否かを判定する（ステップＳ７０１）。
【０１０４】
パスワード（print_pw）が含まれていれば（ステップＳ７０１，Ｙｅｓ）、未登録ユーザリスト作成部１０４は、印刷データからパスワード（print_pw）を取得し、未登録ユーザリスト１１５Ａに加える（ステップＳ７０２）。これにより、ステップＳ５０７で未登録ユーザリスト１１５Ａに加えたユーザ識別情報（UserID）とパスワード（print_pw）とが関連付けて記憶される。
そして、未登録ユーザリスト作成部１０４は、ステップＳ５０８の判定処理を行う。
【０１０５】
一方、パスワード（print_pw）が含まれていなければ（ステップＳ７０１，Ｎｏ）、未登録ユーザリスト作成部１０４は、パスワードとして「Null」を未登録ユーザリスト１１５Ａに加える（ステップＳ７０３）。これにより、ステップＳ５０７で未登録ユーザリスト１１５Ａに加えたユーザ識別情報（UserID）と「Null」とが関連付けて記憶される。
そして、未登録ユーザリスト作成部１０４は、ステップＳ５０８の判定処理を行う。
【０１０６】
以上のように、第２の実施形態によれば、第１の実施形態と同様に管理者は、カード識別情報（CardID）とユーザ識別情報（UserID）とが関連付けられた管理情報を登録する必要がなくなる。そのため、カード認証印刷を可能にするプリンタ（画像形成装置）を導入した場合における管理者の作業負担が低減される。
また、第２の実施形態によれば、カード識別情報（CardID）の登録時にパスワード（print_pw）を入力する必要があるため、誤って別のユーザのユーザ識別情報（UserID）と関連付けられることを防止するという効果が得られる。
【０１０７】
以上、本発明の実施形態について説明したが、本発明は前記した実施形態に限定されず、適宜変更して実施することが可能である。
【０１０８】
図１０のように、画像形成システム１０に、プリンタ１が行う認証処理を代わりに行う外部装置９を備えてもよい。
この外部装置９は、例えばプリンタサーバであり、ＰＣ３（ＰＣ３ａ，ＰＣ３ｂ，ＰＣ３ｃ）からプリンタ１（１ａ，１ｂ，１ｃ，１ｄ）に送信される印刷データ７０を整理して、プリンタ１に印刷データ７０を順番に送り出すプリンタサーバとしての本来の機能（プリンタサーバ機能）に加えて、第１の実施形態においてＰＣ３から受信した印刷データ７０に対してプリンタ１が行うユーザ認証処理を代わりに行ってもよい。
【０１０９】
第１の実施形態および第２の実施形態では、印刷データ７０をＰＣ３から送信したユーザ６本人が、プリンタ１で排出される印刷物を取得する場合について説明したが、この印刷物を、予め登録したユーザ６以外の人物が受け取ってもよい。これは、ユーザ６のユーザ識別情報（UserID）と、ユーザ６以外の人物のカード識別情報（CardID）とを、プリンタ１のカード情報テーブル１１３に登録することで可能となる。
例えば、１０Ｆのフロアでユーザ６が、３Ｆのフロアのプリンタ１に印刷データ７０を送信し、ユーザ６以外の人物がＩＣカード７をプリンタ１にかざすことで、プリンタ１は印刷データ７０を印刷する。これにより、印刷データ７０をＰＣ３から送信したユーザ６以外の人物が印刷物を取得することができる。
【符号の説明】
【０１１０】
１      プリンタ（画像形成装置）
２      ネットワーク
３（３ａ，３ｂ，３ｃ）  ＰＣ
６（６ａ，６ｂ，６ｃ）  ユーザ
７（７ａ，７ｂ，７ｃ）  ＩＣカード
１０    画像形成システム
１１    制御部
１２    記憶部
１３    通信部
７０    印刷データ
１０１  データ処理部
１０２  印刷部
１０４  未登録ユーザリスト作成部
１０６  カード情報制御部
１０７  操作部
１０８  表示部
１０９  カード情報取得部
１１０  操作パネル部
１１１  タイマ
１１２  待機ジョブ管理テーブル
１１３  カード情報テーブル（認証情報テーブル）
１１４  カードリーダ（入力部）
１１５  未登録ユーザリスト
１１６  画像処理部
１１７  画像形成部
１１８  操作パネル制御部
【図１】
2014048739.tif 000003
【図２】
2014048739.tif 000004
【図３】
2014048739.tif 000005
【図４】
2014048739.tif 000006
【図５】
2014048739.tif 000007
【図６】
2014048739.tif 000008
【図７】
2014048739.tif 000009
【図８】
2014048739.tif 000010
【図９】
2014048739.tif 000011
【図１０】
2014048739.tif 000012
【図１１】
2014048739.tif 000013
【図１２】
2014048739.tif 000014
【図１３】
2014048739.tif 000015
【図１４】
2014048739.tif 000016
【図１５】
2014048739.tif 000017
【図１６】
2014048739.tif 000018
【図１７】
2014048739.tif 000019
【図１８】
2014048739.tif 000020
【図１９】
2014048739.tif 000021
【図２０】
2014048739.tif 000022
【図２１】
2014048739.tif 000023
【図２２】
2014048739.tif 000024
【図２３】
2014048739.tif 000025
【図２４】
2014048739.tif 000026
【図２５】
2014048739.tif 000027
【図２６】
2014048739.tif 000028
【図２７】
2014048739.tif 000029
【図２８】
2014048739.tif 000030